(57)【要約】【課題】  映像信号に対してのみ送信前の符号化処理および受信後の復号化処理を行う場合であっても、受信側の装置での映像信号と音声信号との間の時間差を解消すること。【解決手段】  ＤＶＤプレーヤ１では、時間データ付加手段１３，１４が時間データを映像信号と音声信号にそれぞれ付加する。ＭＰＥＧ２エンコーダ１５は、時間データを付加された映像信号を符号化する。音声信号および符号化後の映像信号は、ＤＶＤプレーヤ１からレシーバ２へ転送される。レシーバ２では、符号化後の映像信号がＭＰＥＧデコーダ２３により復号化され、復号化後の映像信号がＭＰＥＧ２デコーダ２３から出力される。受信された音声信号は、音声信号と映像信号の時間データに基づき遅延手段２７による遅延を受けた後、映像信号に同期して遅延手段２７から出力される。【選択図】  図１
2005286742.tif 000002
【特許請求の範囲】
【請求項１】
一連の映像信号と音声信号のうち、映像信号を符号化し、音声信号および符号化後の映像信号を他の装置へ転送するＡＶ装置において、
一連の映像信号と音声信号を取得する信号取得手段と、
受信側で映像信号と音声信号とを同期させるための同期データを、映像信号に付加する第１の同期データ付加手段と、
受信側で映像信号と音声信号とを同期させるための同期データを、音声信号に付加する第２の同期データ付加手段と、
上記第１のデータ付加手段により同期データを付加された映像信号を符号化する符号化手段と、
音声信号、および上記符号化手段により符号化された映像信号を他の装置へ転送する転送手段と、
を備えることを特徴とするＡＶ装置。
【請求項２】
前記第１の同期データ付加手段は、映像信号内のフレームとフレームとの間またはフィールドとフィールドとの間に、同期データを付加することを特徴とする請求項１記載のＡＶ装置。
【請求項３】
前記第２の同期データ付加手段は、音声信号内のサブコードに、同期データを付加することを特徴とする請求項１記載のＡＶ装置。
【請求項４】
前記転送手段は、他の装置との間で複数チャネルの伝送路を制御し、符号化された映像信号のためのチャネルから独立したチャネルで、音声信号を転送することを特徴とする請求項１記載のＡＶ装置。
【請求項５】
音声信号および所定の符号化方式で符号化された映像信号を他の装置から受信するＡＶ装置において、
音声信号および符号化された映像信号を受信する受信手段と、
上記受信手段により受信された、符号化された映像信号を復号化する復号化手段と、
上記復号化手段により復号化された後の映像信号から、映像信号と音声信号とを同期させるための同期データを抽出する第１の同期データ抽出手段と、
上記受信手段により受信された音声信号から、映像信号と音声信号とを同期させるための同期データを抽出する第２の同期データ抽出手段と、
上記第１の同期データ抽出手段により抽出された映像信号の同期データと上記第２の同期データ抽出手段により抽出された音声信号の同期データに基づいて、受信された音声信号と復号化後の映像信号を同期させる同期手段と、
を備えることを特徴とするＡＶ装置。
【請求項６】
前記同期手段は、前記第１の同期データ抽出手段により抽出された映像信号の同期データと前記第２の同期データ抽出手段により抽出された音声信号の同期データに基づく遅延時間だけ、受信された音声信号を遅延させ、復号化後の映像信号に同期させることを特徴とする請求項５記載のＡＶ装置。
【請求項７】
前記第１の同期データ抽出手段は、復号化後の映像信号内のフレームとフレームとの間またはフィールドとフィールドとの間から、同期データを抽出することを特徴とする請求項５記載のＡＶ装置。
【請求項８】
前記第２の同期データ抽出手段は、音声信号内のサブコードから、同期データを抽出することを特徴とする請求項５記載のＡＶ装置。
【請求項９】
前記受信手段は、他の装置との間で複数チャネルの伝送路を制御し、符号化された映像信号のためのチャネルから独立したチャネルで、音声信号を受信することを特徴とする請求項５記載のＡＶ装置。
【請求項１０】
請求項１から請求項４のうちのいずれか１項記載のＡＶ装置と、
請求項５から請求項９のうちのいずれか１項記載のＡＶ装置とを備え、
請求項１から請求項４のうちのいずれか１項記載の上記ＡＶ装置から、請求項５から請求項９のうちのいずれか１項記載の上記ＡＶ装置へ、映像信号および音声信号を転送すること、
を特徴とするＡＶシステム。
【請求項１１】
一連の映像信号と音声信号に対応する、音声信号および符号化後の映像信号を一方の装置から他方の装置へ転送するＡＶ信号転送方法において、
受信側で映像信号と音声信号とを同期させるための同期データを、映像信号に付加するステップと、
受信側で映像信号と音声信号とを同期させるための同期データを、音声信号に付加するステップと、
同期データを付加した映像信号を符号化するステップと、
音声信号、および符号化された映像信号を一方の装置から他方の装置へ転送するステップと、
を備えることを特徴とするＡＶ信号転送方法。
【請求項１２】
一連の映像信号と音声信号に対応する、音声信号および符号化後の映像信号を一方の装置から他方の装置へ転送するＡＶ信号転送方法において、
音声信号および所定の符号化方式で符号化された映像信号を一方の装置から受信するステップと、
他方の装置において受信した、符号化された映像信号を復号化するステップと、
復号化した後の映像信号から、映像信号と音声信号とを同期させるための同期データを抽出するステップと、
受信した音声信号から、映像信号と音声信号とを同期させるための同期データを抽出するステップと、
抽出した映像信号の同期データと音声信号の同期データに基づいて、受信した音声信号と復号化後の映像信号を同期させるステップと、
を備えることを特徴とするＡＶ信号転送方法。
【発明の詳細な説明】
【技術分野】
【０００１】
本発明は、ＡＶ装置、ＡＶシステムおよびＡＶ信号転送方法に関する。
【背景技術】
【０００２】
従来、ＭＰＥＧ２（Moving Picture Experts Group）方式で符号化された映像信号や音声信号を、ＩＥＥＥ１３９４規格のインタフェース（以下、１３９４インタフェースという）により授受する装置が様々存在する（例えば、特許文献１参照）。
【０００３】
【特許文献１】特開２００２−１０１３８７号公報（従来の技術欄）
【発明の開示】
【発明が解決しようとする課題】
【０００４】
このような、ＭＰＥＧ２方式で符号化された映像信号や音声信号を受信したり、再生したりするＡＶ装置から、他のＡＶ装置へ、映像信号や音声信号を１３９４インタフェースで転送する場合、受信時や再生時に復号化された映像信号と音声信号のうち、映像信号のみを符号化し、音声信号と符号化された映像信号とを１３９４インタフェースで転送することがある。これは、映像信号のデータレートを小さくしリアルタイムで転送可能とすることなどに起因して行われる。
【０００５】
図３は、音声信号と符号化された映像信号とを１３９４インタフェースで転送するＡＶシステムの一例を示すブロック図である。図３に示すＡＶシステムでは、ＤＶＤプレーヤ１０１とレシーバ１０２との間で、ケーブル１０３を介して１３９４インタフェース回路１１３，１２１により、アイソクロナス転送で、映像信号と音声信号とがそれぞれ別々のチャネルで転送される。
【０００６】
その際、ＤＶＤプレーヤ１０１では、ピックアップ部、ピックアップ部より得られた信号を復調しデジタルデータを再生する再生回路、ＭＰＥＧ２方式で符号化されたデジタルデータを復号化するデコーダなどを含むＤＶＤ再生部１１１により、記録媒体であるＤＶＤ（Digital Versatile Disc）から映像信号と音声信号が、同期した状態で再生される。つまり、符号化時に規定された信号内のある時刻での映像信号と音声信号が、同時に再生される。
【０００７】
これらの復号化後の映像信号と音声信号が、ＤＶＤプレーヤ１０１からレシーバ１０２に転送される場合、映像信号は、ＭＰＥＧ２エンコーダ１１２によりＭＰＥＧ２方式で符号化された後に、符号化後の映像信号として、１３９４インタフェースのあるチャネルで転送される。一方、音声信号は、再生された音声信号が、そのまま、１３９４インタフェースの別のあるチャネルで転送される。
【０００８】
そして、レシーバ１０２では、１３９４インタフェース回路１２１のあるチャネルで受信された符号化後の映像信号が、ＭＰＥＧ２デコーダ１２２によりデコードされ、１３９４インタフェース回路１２１の別のあるチャネルで受信された音声信号とともに、図示せぬ他の内部回路に供給されたり図示せぬ他の外部装置へ出力されたりして、使用される。
【０００９】
しかしながら、このようにして、復号化後の一連の映像信号と音声信号を１つの組として、ＤＶＤプレーヤ１０１からレシーバ１０２へ転送しようとした場合、ＤＶＤプレーヤ１０１での再生時には映像信号と音声信号は同期しているが、映像信号に対してのみ送信前の符号化処理および受信後の復号化処理が必要となるため、レシーバ１０２では映像信号と音声信号との間に時間差が生じてしまい、この映像信号に基づく映像とこの音声信号に基づく音声とを併せて視聴した場合に、視聴者に不自然感を与えてしまうという問題がある。
【００１０】
本発明は、上記の問題に鑑みてなされたものであり、映像信号に対してのみ送信前の符号化処理および受信後の復号化処理を行う場合であっても、受信側の装置での映像信号と音声信号との間の時間差を解消し、この映像信号に基づく映像とこの音声信号に基づく音声とを併せて視聴した際の不自然感を低減するＡＶ装置、ＡＶシステムおよびＡＶ信号転送方法を得ることを目的とする。
【課題を解決するための手段】
【００１１】
上記の課題を解決するために、本発明では、以下のようにした。
【００１２】
本発明のＡＶ装置の１つは、一連の映像信号と音声信号を取得する信号取得手段と、受信側で映像信号と音声信号とを同期させるための同期データを、映像信号に付加する第１の同期データ付加手段と、受信側で映像信号と音声信号とを同期させるための同期データを、音声信号に付加する第２の同期データ付加手段と、第１のデータ付加手段により同期データを付加された映像信号を、符号化する符号化手段と、音声信号、および符号化手段により符号化された映像信号を他の装置へ転送する転送手段とを備える。
【００１３】
さらに、本発明のＡＶ装置の１つは、上記発明のＡＶ装置に加え、第１の同期データ付加手段を次のようにしたものである。このＡＶ装置では、第１の同期データ付加手段は、映像信号内のフレームとフレームとの間またはフィールドとフィールドとの間に、同期データを付加する。
【００１４】
さらに、本発明のＡＶ装置の１つは、上記発明のＡＶ装置のいずれかに加え、第２の同期データ付加手段を次のようにしたものである。このＡＶ装置では、第２の同期データ付加手段は、音声信号内のサブコードに、同期データを付加する。
【００１５】
さらに、本発明のＡＶ装置の１つは、上記発明のＡＶ装置のいずれかに加え、転送手段を次のようにしたものである。このＡＶ装置では、転送手段は、他の装置との間で複数チャネルの伝送路を制御し、符号化された映像信号のためのチャネルから独立したチャネルで、音声信号を転送する。
【００１６】
また、本発明のＡＶ装置の１つは、音声信号および符号化された映像信号を受信する受信手段と、受信手段により受信された、符号化された映像信号を復号化する復号化手段と、復号化手段により復号化された後の映像信号から、映像信号と音声信号とを同期させるための同期データを抽出する第１の同期データ抽出手段と、受信手段により受信された音声信号から、映像信号と音声信号とを同期させるための同期データを抽出する第２の同期データ抽出手段と、第１の同期データ抽出手段により抽出された映像信号の同期データと第２の同期データ抽出手段により抽出された音声信号の同期データに基づいて、受信された音声信号と復号化後の映像信号を同期させる同期手段とを備える。
【００１７】
さらに、本発明のＡＶ装置の１つは、上記発明のＡＶ装置に加え、同期手段を次のようにしたものである。このＡＶ装置では、同期手段は、第１の同期データ抽出手段により抽出された映像信号の同期データと第２の同期データ抽出手段により抽出された音声信号の同期データに基づく遅延時間だけ、受信された音声信号を遅延させ、復号化後の映像信号に同期させる。
【００１８】
さらに、本発明のＡＶ装置の１つは、上記発明のＡＶ装置のいずれかに加え、第１の同期データ抽出手段を次のようにしたものである。このＡＶ装置では、第１の同期データ抽出手段は、復号化後の映像信号内のフレームとフレームとの間またはフィールドとフィールドとの間から、同期データを抽出する。
【００１９】
さらに、本発明のＡＶ装置の１つは、上記発明のＡＶ装置のいずれかに加え、第２の同期データ抽出手段を次のようにしたものである。このＡＶ装置では、第２の同期データ抽出手段は、音声信号内のサブコードから、同期データを抽出する。
【００２０】
さらに、本発明のＡＶ装置の１つは、上記発明のＡＶ装置のいずれかに加え、受信手段を次のようにしたものである。このＡＶ装置では、受信手段は、他の装置との間で複数チャネルの伝送路を制御し、符号化された映像信号のためのチャネルから独立したチャネルで、音声信号を受信する。
【００２１】
本発明のＡＶシステムは、上述した信号送信側のＡＶ装置と、上述した信号受信側のＡＶ装置とを接続し、その信号送信側のＡＶ装置からその信号受信側のＡＶ装置へ、映像信号および音声信号を転送する。
【００２２】
本発明のＡＶ信号転送方法の１つは、受信側で映像信号と音声信号とを同期させるための同期データを、映像信号に付加するステップと、受信側で映像信号と音声信号とを同期させるための同期データを、音声信号に付加するステップと、同期データを付加した映像信号を符号化するステップと、音声信号、および符号化された映像信号を一方の装置から他方の装置へ転送するステップとを備える。
【００２３】
また、本発明のＡＶ信号転送方法の１つは、音声信号および所定の符号化方式で符号化された映像信号を一方の装置から受信するステップと、他方の装置において受信した、符号化された映像信号を復号化するステップと、復号化した後の映像信号から、映像信号と音声信号とを同期させるための同期データを抽出するステップと、受信した音声信号から、映像信号と音声信号とを同期させるための同期データを抽出するステップと、抽出した映像信号の同期データと音声信号の同期データに基づいて、受信した音声信号と復号化後の映像信号を同期させるステップを備える。
【発明の効果】
【００２４】
本発明によれば、映像信号に対してのみ送信前の符号化処理および受信後の復号化処理を行う場合であっても、受信側の装置での映像信号と音声信号との間の時間差を解消し、この映像信号に基づく映像とこの音声信号に基づく音声とを併せて視聴した際の不自然感を低減するＡＶ装置、ＡＶシステムおよびＡＶ信号転送方法を得ることができる。
【発明を実施するための最良の形態】
【００２５】
以下、図に基づいて本発明の実施の形態を説明する。
【００２６】
図１は、本発明の実施の形態に係るＡＶシステムの構成を示すブロック図である。図１において、ＤＶＤプレーヤ１は、ＤＶＤに記録されているＭＰＥＧ２方式で符号化された映像データおよびＡＣ−３方式等で符号化された音声データを読み取り、その映像データおよび音声データを復号化し、映像信号および音声信号を再生するＡＶ装置である。なお、この音声信号は、１系統でもよいし、ステレオ音声、サラウンド音声などの複数系統でもよい。
【００２７】
また、レシーバ２は、ＦＭ／ＡＭチューナ、アンプ、サラウンドシステムなどの機能部を内蔵するとともに、外部装置から映像信号および音声信号を受信しそれらを信号処理して出力したり他の機器に出力したりするＡＶ装置である。
【００２８】
この実施の形態に係るＡＶシステムでは、ＤＶＤプレーヤ１とレシーバ２がケーブル３を介して接続される。
【００２９】
図１に示すＤＶＤプレーヤ１において、ＤＶＤ再生部１１は、図示せぬピックアップ部によりＤＶＤから読み取られた信号を復調しデジタルデータを再生する再生回路、ＭＰＥＧ２方式で符号化されたデジタルデータを復号化するデコーダなどを含む回路群である。ＤＶＤ再生部１１からは、復号化された映像信号、復号化された音声信号、およびタイムスタンプ情報が同期した状態で出力される。このタイムスタンプ情報は、ＭＰＥＧ方式での復号時に得られる情報である。より詳細には、ＤＶＤを再生して得られるビデオタイトルセット（ＶＴＳ）は、複数のセル（Ｃｅｌｌ）で構成され、各セルは、ナビゲーションパック、ビデオコンテンツ、オーディオコンテンツ、サブピクチャーコンテンツで構成されている。このうち、ナビゲーションパックに含まれるプログラムコントロールインフォメーション（ＰＣＩ）には、どの時間にどのビデオコンテンツやオーディオコンテンツやサブピクチャーコンテンツを再生させるかという情報があり、ＤＶＤ再生部１１は、これをタイムスタンプ情報として取得している。なお、このＤＶＤ再生部１１は、一連の映像信号と音声信号を取得する信号取得手段として機能する。
【００３０】
また、時間データデコード手段１２は、ＤＶＤ再生部１１からのタイムスタンプ情報に基づいて、各時刻での映像と音声の同期用のデータである時間データを生成し、時間データ付加手段１３，１４にそれぞれ供給する回路部である。なお、時間データデコード手段１２は、ＤＶＤ再生部１１からの映像タイムスタンプ情報を時間データ付加手段１３に供給し、ＤＶＤ再生部１１からの音声タイムスタンプ情報を時間データ付加手段１４に供給するようにしてもよい。また、この実施の形態では、タイムスタンプ情報として上述のものが使用されているが、タイムスタンプ情報は、ある時刻を一意に示す他の形式の情報でもよい。また、ＤＶＤ再生部１１により再生された信号を使用せずに、時間データデコード手段１２が、タイマなどを使用して独自に時間データを生成するようにしてもよい。
【００３１】
また、時間データ付加手段１３は、受信側の機器で映像信号と音声信号とを同期させるための同期データとしての時間データを、映像信号に付加する第１の同期データ付加手段として機能する回路部である。
【００３２】
また、時間データ付加手段１４は、受信側の機器で映像信号と音声信号とを同期させるための同期データとしての時間データを、音声信号に付加する第２の同期データ付加手段として機能する回路部である。
【００３３】
なお、同一時刻の映像および音声についての映像信号用の時間データと音声信号用の時間データは、同一のものとしてもよいし、関連性のある異なるものとしてもよい。つまり、２つの時間データから映像信号の時刻と音声時刻との差が得られればよい。
【００３４】
また、ＭＰＥＧ２エンコーダ１５は、ＭＰＥＧ２方式で映像信号を符号化する符号化手段として機能する回路である。
【００３５】
１３９４インタフェース回路１６は、１３９４インタフェース方式に従って、ケーブル３を介して接続された他の１３９４インタフェース回路とデータの送受を行う回路である。なお、１３９４インタフェース回路１６は、音声信号、および符号化された映像信号を他の装置（ここではレシーバ２）へ転送する転送手段として機能する。
【００３６】
コネクタ１７は、物理的にかつ電気的にケーブル３の一端のプラグを接続可能であって、ＤＶＤプレーヤ１内部において１３９４インタフェース回路１６と電気的に接続された接続用部品である。
【００３７】
他方、図１に示すレシーバ２において、コネクタ２１は、物理的にかつ電気的にケーブル３の他端のプラグを接続可能であって、レシーバ２内部において１３９４インタフェース回路２２と電気的に接続された接続用部品である。
【００３８】
また、１３９４インタフェース回路２２は、１３９４インタフェース方式に従って、ケーブル３を介して接続された他の１３９４インタフェース回路とデータの送受を行う回路である。なお、１３９４インタフェース回路２２は、音声信号および符号化された映像信号を別々に他の装置（ここではＤＶＤプレーヤ１）から受信する受信手段として機能する。
【００３９】
また、ＭＰＥＧ２デコーダ２３は、１３９４インタフェース回路２２により受信された、ＭＰＥＧ２方式で符号化された映像信号を復号化する復号化手段として機能する回路である。時間データ抽出手段２４は、ＭＰＥＧ２デコーダ２３により復号化された後の映像信号から、同期用の時間データを抽出する第１の同期データ抽出手段として機能する回路部である。また、時間データ抽出手段２５は、１３９４インタフェース回路２２により受信された音声信号から、同期用の時間データを抽出する第２の同期データ抽出手段として機能する回路部である。
【００４０】
また、時間データ比較手段２６は、時間データ抽出手段２４からの映像信号の時間データと時間データ抽出手段２５からの音声信号の時間データとを比較し、その時点の音声信号の遅延時間を計算する回路部である。
【００４１】
また、遅延手段２７は、時間データ比較手段２６により計算された遅延時間だけ、音声信号を遅延させる遅延回路である。
【００４２】
なお、時間データ比較手段２６および遅延手段２７は、受信された音声信号と復号化後の映像信号を同期させる同期手段として機能する。
【００４３】
なお、ＤＶＤプレーヤ１における時間データデコード手段１２および時間データ付加手段１３，１４は、マイクロコンピュータ、ＤＳＰ（Digital Signal Processor）などにより実現可能である。また、レシーバ２における時間データ抽出手段２４，２５および時間データ比較手段２６は、マイクロコンピュータ、ＤＳＰなどにより実現可能である。
【００４４】
また、レシーバ２には、図示せぬ他の内部回路、セレクタなどが、その機能に応じて適宜設けられており、それらの部位に、ＭＰＥＧ２デコーダ２３から出力される映像信号と遅延手段２７から出力される音声信号が供給される。
【００４５】
次に、上記システムの各装置の動作について説明する。図２は、本発明の実施の形態に係るＡＶシステムにおいてＤＶＤプレーヤ１からレシーバ２へ映像信号と音声信号が転送される際の処理について説明するフローチャートである。
【００４６】
ＤＶＤプレーヤ１のＤＶＤ再生部１１は、図示せぬＤＶＤから再生された符号化されていない映像信号、符号化されていない音声信号、およびタイムスタンプ情報を、同期した状態で出力する（ステップＳ１）。これにより、ＤＶＤ再生部１１から映像信号が継続的に出力され、それに合わせて音声信号も継続的に出力される。
【００４７】
時間データデコード手段１２は、タイムスタンプ情報に基づいて、各時点での映像用時間データおよび音声用時間データを決定し、それぞれ時間データ付加手段１３，１４に供給する。時間データ付加手段１３は、時間データデコード手段１２からの映像用時間データを、映像信号内の所定の部位のデータに加算することで、映像信号に時間データを付加する（ステップＳ２）。同様に、時間データ付加手段１４は、時間データデコード手段１２からの音声用時間データを、音声信号内の所定の部位のデータに加算することで、音声信号に時間データを付加する（ステップＳ２）。
【００４８】
この際、例えば、時間データ付加手段１３は、映像信号の１フレームまたは１フィールドごと、あるいは所定の複数フレームまたは複数フィールドごとに、映像の垂直帰線期間の部分（特にマクロビジョンコードなどに影響を与えない部分）、１フレームまたは１フィールドの映像の最上部または最下部の１ラインの部分などに、時間データを付加する。
【００４９】
また、例えば、時間データ付加手段１４は、音声信号のうちのサブコード部分に、時間データを付加する。なお、サブコード部分とは、音声信号における音声情報以外の制御情報や関連情報の部分である。
【００５０】
なお、時間データデコード手段１２，１３は、時間データを加算する代わりに、その部分のデータを、時間データに置き換えるようにしてもよい。
【００５１】
このようにして、符号化されていない映像信号と音声信号にそれぞれ時間データが付加される。
【００５２】
次に、ＤＶＤプレーヤ１からレシーバ２への映像信号の転送について説明する。
【００５３】
時間データを付加された映像信号は、ＭＰＥＧ２エンコーダ１５により符号化される（ステップＳ３）。
【００５４】
そして、符号化後の映像信号が、１３９４インタフェース回路１６により、アイソクロナス転送の所定のチャネルで、ケーブル３を介して、レシーバ２の１３９４インタフェース回路２２へ転送される（ステップＳ４）。
【００５５】
レシーバ２の１３９４インタフェース回路２２は、符号化された映像信号をそのチャンネルで受信すると、ＭＰＥＧ２デコーダ２３へ出力する。ＭＰＥＧ２デコーダ２３は、１３９４インタフェース回路２２からの符号化された映像信号を順番に復号化し、復号化後の映像信号を出力する（ステップＳ５）。なお、時間データ抽出手段２４は、この映像信号から、時間データ付加手段１３により所定の部位に付加された時間データを抽出し、時間データ比較手段２６に供給する。
【００５６】
次に、ＤＶＤプレーヤ１からレシーバ２への音声信号の転送について説明する。
【００５７】
時間データを付加された音声信号は、符号化されることなく、１３９４インタフェース回路１６により、アイソクロナス転送の、映像信号とは異なる所定のチャネルで、ケーブル３を介して、レシーバ２の１３９４インタフェース回路２２へ転送される（ステップＳ６）。
【００５８】
レシーバ２の１３９４インタフェース回路２２は、そのチャンネルで音声信号を受信すると、時間データ抽出手段２５および遅延手段２７へ出力する。時間データ抽出手段２５は、この音声信号から、時間データ付加手段１４により所定の部位に付加された時間データを抽出し、時間データ比較手段２６に供給する。
【００５９】
そして、時間データ比較手段２６は、ある実時刻（ＭＰＥＧ内のタイムスタンプによる時刻ではなく現実の時刻）において、時間データ抽出手段２４からの映像用時間データと時間データ抽出手段２５からの音声用時間データとを比較し、その実時刻に遅延手段２７に供給された音声信号についての遅延手段２７での遅延時間を計算し、その情報を、遅延手段２７に供給する（ステップＳ７）。例えば、ある実時刻において、映像用時間データが、時刻Ｔ１の映像信号のものであり、音声用時間データが、時刻Ｔ２の音声信号のものである場合、その実時刻における音声信号についての遅延時間は、（Ｔ２−Ｔ１）とされる。
【００６０】
遅延手段２７は、ある実時刻において供給された音声データを、その音声データについて時間データ比較手段２６から供給された遅延時間情報により指定された遅延時間だけ遅延させ、その後、出力する（ステップＳ８）。
【００６１】
このようにすることで、各実時刻において、ＭＰＥＧ２デコーダ２３から出力される映像信号と、遅延手段２７から出力される音声信号とが、ＤＶＤ再生部１１から出力されたときとほぼ同様に同期した状態とされる。
【００６２】
以上のように、上記実施の形態によれば、ＤＶＤプレーヤ１では、ＤＶＤ再生部１１は、一連の映像信号と音声信号を取得する。時間データ付加手段１３は、時間データを映像信号に付加し、時間データ付加手段１４は、時間データを音声信号に付加する。ＭＰＥＧ２エンコーダ１５は、時間データを付加された映像信号を符号化する。そして、１３９４インタフェース回路１６は、音声信号、および符号化後の映像信号を別々のチャネルでレシーバ２へ転送する。他方、レシーバ２では、１３９４インタフェース回路２２が、音声信号および符号化後の映像信号を別々のチャネルで受信する。受信された、符号化された映像信号は、ＭＰＥＧ２デコーダ２３により復号化され、復号化後の映像信号がＭＰＥＧ２デコーダ２３から出力される。受信された音声信号は、遅延手段２７による遅延を受けた後、映像信号に同期して遅延手段２７から出力される。その際、時間データ抽出手段２４は、復号化後の映像信号から時間データを抽出し、時間データ抽出手段２５は、受信された音声信号から時間データを抽出し、遅延手段２７は、映像信号の時間データと音声信号の時間データに基づく遅延時間だけ、受信された音声信号を遅延させる。
【００６３】
これにより、映像信号に対してのみ送信前の符号化処理および受信後の復号化処理を行う場合であっても、レシーバ２において時間データを利用して音声信号を適切に遅延させることで、受信側の装置での映像信号と音声信号との間の時間差を解消し、この映像信号に基づく映像とこの音声信号に基づく音声とを併せて視聴した際の不自然感を低減することができる。
【００６４】
また、上記実施の形態において、映像信号の時間データを、映像信号内のフレームとフレームとの間またはフィールドとフィールドとの間の垂直帰線区間に付加した場合には、時間データの付加に起因して映像を劣化させずに済む。
【００６５】
また、上記実施の形態において、音声信号の時間データを、サブコードに付加した場合には、時間データの付加に起因して音声を劣化させずに済む。
【００６６】
また、上記実施の形態によれば、１３９４インタフェース回路１６，２２間では、１３９４インタフェースに基づく互いに異なるチャネルで、映像信号と音声信号とを別々に転送している。他方で、レシーバ２内において映像信号と音声信号の同期を確保している。このため、１３９４インタフェース回路１６，２２間による映像信号の転送と音声信号との転送との間に同期をとる必要がなく別々に行うことができ、ＤＶＤプレーヤ１とレシーバ２との間の高速転送が、音声信号の遅延を抑制しつつ可能となる。
【００６７】
なお、上述の実施の形態は、本発明の好適な例であるが、本発明は、これらに限定されるものではなく、本発明の要旨を逸脱しない範囲において、種々の変形、変更が可能である。
【００６８】
例えば、上記実施の形態では、レシーバ２において、時間データ比較手段２６が、各時点で、遅延手段２７での音声信号の遅延時間を計算し、遅延手段２７が、その遅延時間分だけ音声信号を遅延させているが、その代わりに、遅延時間を計算せずにある時点の音声信号を記憶し続け、その音声信号と同一時点の映像信号の時間データが時間データ抽出手段２４により抽出された時に、遅延手段２７が、その音声信号を出力するようにしてもよい。
【００６９】
また、上記実施の形態では、転送時に映像信号を符号化する方式は、ＭＰＥＧ２とされているが、この符号化方式は、ＭＰＥＧ２に限定されず、他のＭＰＥＧ方式でもよく、さらに、ＭＰＥＧ以外の動画像を符号化する方式でもよい。また、ＭＰＥＧ方式のように、映像信号の内容に応じて符号化処理時間および／または符号化後のデータ量が変化する符号化方式で符号化した場合、符号化処理時間が変動するため、音声信号の遅延時間を所定の値に設定するのは困難であるが、この実施の形態であれば、そのような場合でも、受信側の装置において映像信号と音声信号との同期を簡単かつ簡単にとることができる。
【００７０】
また、上記実施の形態では、転送に使用されるインタフェースは、１３９４インタフェースとされているが、転送に使用されるインタフェースは、１３９４インタフェースに限定されず、音声信号および符号化された映像信号を転送可能なものであれば、ＨＤＭＩ（High-Definition Multimedia Interface）方式等、他のものでもよい。
【００７１】
また、上記実施の形態では、送信側のＡＶ装置を一例としてＤＶＤプレーヤ１としているが、送信側のＡＶ装置の形態は、ＤＶＤ以外の記録媒体に記録されたデータから映像信号および音声信号を再生する再生装置、デジタル放送などを受信し映像信号および音声信号を復調して出力する受信装置、マイクロホン付きのビデオカメラなどでもよい。
【００７２】
また、上記実施の形態では、受信側のＡＶ装置を一例としてレシーバ２としているが、受信側のＡＶ装置の形態は、記録可能なＤＶＤ、ビデオテープ、ハードディスクドライブなどに映像と音声を合わせて記録する録画装置、ＡＶアンプ、供給された映像信号と音声信号に基づいて映像を表示したり音声を出力したりする表示装置などでもよい。
【産業上の利用可能性】
【００７３】
本発明は、例えば、音声および動画像を扱うＡＶシステムに適用可能である。そのようなＡＶシステムとしては、例えばホームシアターシステムがある。
【図面の簡単な説明】
【００７４】
【図１】図１は、本発明の実施の形態に係るＡＶシステムの構成を示すブロック図である。
【図２】図２は、本発明の実施の形態に係るＡＶシステムにおいてＤＶＤプレーヤからレシーバへ映像信号と音声信号が転送される際の処理について説明するフローチャートである。
【図３】図３は、音声信号と符号化された映像信号とを１３９４インタフェースで転送するＡＶシステムの一例を示すブロック図である。
【符号の説明】
【００７５】
１  ＤＶＤプレーヤ（ＡＶ装置）
２  レシーバ（ＡＶ装置）
１１  ＤＶＤ再生部（信号取得手段）
１２  時間データデコード手段
１３  時間データ付加手段（第１の同期データ付加手段）
１４  時間データ付加手段（第２の同期データ付加手段）
１５  ＭＰＥＧ２エンコーダ（符号化手段）
１６  １３９４インタフェース回路（転送手段）
２２  １３９４インタフェース回路（受信手段）
２３  ＭＰＥＧ２デコーダ（復号化手段）
２４  時間データ抽出手段（第１の同期データ抽出手段）
２５  時間データ抽出手段（第２の同期データ抽出手段）
２６  時間データ比較手段（同期手段）
２７  遅延手段（同期手段）
【図１】
2005286742.tif 000003
【図２】
2005286742.tif 000004
【図３】
2005286742.tif 000005